(57)【要約】【課題】売場の買い物に応じた割引を費用が高くならず、信頼性が高く、扱い易くする。【解決手段】駐車券発行機により発行されるそれぞれの駐車券には、識別データが磁気記録され、バーコードが印刷される。識別データとバーコードとは同内容であり、それにより個々の駐車券を他のものと区別する。利用者が駐車場関係の店舗において買い物をすると、その店舗のＰＯＳ端末により、駐車券のバーコードを読み取り、買い物金額を前記読み取った識別データに対応して出力し、識別毎の買い物金額を金額記録部に記録しておく。買い物金額により駐車サービスを受けることができ、この買い物金額に応じたサービス内容を「時間」とより上のランクを受けるための「金額」を、売場においてレシートに印刷して利用者に供する。外商顧客、買い物以外の顧客も、同様のサービスあるいは付加駐車時間を追加するできる。【選択図】　図１
2004086290.tif 000002
【特許請求の範囲】
【請求項１】
駐車券発行機において、個々の駐車券を区別する駐車券識別コードを磁気記録するとともに前記駐車券識別コードと同内容を表すバーコードを印刷して発行し、
ＰＯＳ端末において、前記駐車券のバーコードを読み取るとともに当該読み取った駐車券識別コードと買い物金額を出力し、
前記ＰＯＳ端末からの駐車券識別コード毎の買い物金額を金額記録部に積算して記録し、
サービス情報処理部において、ＰＯＳ端末が読み取った駐車券識別コードにより前記金額記録部から積算された買い物金額を読み出し、当該積算された買い物金額と現在までの駐車時間とに応じて、買い物金額に応じて受けられるランクの駐車サービスの残り時間、又は買い物金額に応じてランク分けされた一つ上のランクの駐車サービスを受けるために必要な買い物金額とを示すサービス情報を得て前記ＰＯＳ端末に出力し、
前記ＰＯＳ端末において、前記サービス情報をレシートに印刷することを特徴とする駐車サービス提供方法。
【請求項２】
個々の駐車券を区別する駐車券識別コードを磁気記録するとともに前記駐車券識別コードと同内容を表すバーコードを印刷して発行する駐車券発行機と、
売場に備えられ、前記駐車券のバーコードを読み取るとともに当該読み取った駐車券識別コードと買い物金額を出力する手段を備え、レシートに印刷する手段を備えるＰＯＳ端末と、
前記ＰＯＳ端末からの駐車券識別コード毎の買い物金額を積算して記録する金額記録部と、
買い物金額に応じてランク分けされた駐車サービス内容を記録した駐車サービス記録部と、
ＰＯＳ端末が読み取った駐車券識別コードにより前記金額記録部から買い物金額を読み出し、当該積算された買い物金額と現在までの駐車時間とに応じて、買い物金額に応じて受けられるランクの駐車サービスの残り時間を計算し、買い物金額に応じてランク分けされた一つ上のランクの駐車サービスを前記駐車サービス記録部から読み出し、当該一つ上のランクの駐車サービスを受けるために必要な買い物金額を計算し、前記駐車サービスの残り時間、又は前記一つ上のランクの駐車サービスを受けるために必要な買い物金額を示すサービス情報を得て前記ＰＯＳ端末における印刷する手段により印刷させるために出力するサービス情報処理部とからなることを特徴とする駐車サービス提供システム。
【請求項３】
駐車券発行機において、外商顧客を区別する外商顧客識別コードを磁気記録するとともに前記外商顧客識別コードと同内容を表すバーコードを印刷して発行し、
データ処理端末において前記駐車券のバーコードを読み取るとともに当該読み取った外商顧客識別コードを出力し、
サービス情報処理部において、データ処理端末が読み取った外商顧客識別コードにより外商顧客識別コード毎の外商金額を積算記録する外商金額記録部から積算された外商金額を読み出し、当該外商顧客のサービスクラスと積算された外商金額と現在までの駐車時間とに応じて、当該外商顧客のサービスクラスと外商金額とに応じて受けられるランクの駐車サービスの残り時間、又は当該外商顧客のサービスクラスと外商金額とに応じてランク分けされた一つ上のランクの駐車サービスを受けるために必要な外商を含む買い物金額とを示すサービス情報を得て前記データ処理端末に出力し、
前記データ処理端末において、前記サービス情報をレシートに印刷することを特徴とする駐車サービス提供方法。
【請求項４】
外商顧客を区別する外商顧客識別コードを磁気記録するとともに前記外商顧客識別コードと同内容を表すバーコードを印刷して発行する駐車券発行機と、
前記駐車券のバーコードを読み取るとともに当該読み取った外商顧客識別コードを出力する手段を備え、レシートに印刷する手段を備えるデータ処理端末と、
前記データ処理端末からの外商顧客識別コード毎の外商金額を積算して記録する外商金額記録部と、
外商顧客のサービスクラスを記録した外商顧客サービス記録部と、
外商を含む買い物金額に応じてランク分けされた駐車サービス内容を記録した駐車サービス記録部と、
データ処理端末が読み取った外商顧客識別コードにより前記外商金額記録部から外商金額を読み出すとともに外商顧客識別コードにより前記外商顧客サービスクラス記録部から当該外商顧客のサービスクラスを読み出し、当該外商顧客のサービスクラスと積算された外商金額と現在までの駐車時間とに応じて、外商顧客のサービスクラス及び外商金額に応じて受けられるランクの駐車サービスの残り時間を計算し、外商顧客のサービスクラス及び外商を含む買い物金額に応じてランク分けされた一つ上のランクの駐車サービスの時間を前記駐車サービス記録部から読み出し、当該一つ上のランクの駐車サービスを受けるために必要な外商を含む買い物金額を計算し、前記駐車サービスの残り時間、又は前記一つ上のランクの駐車サービスを受けるために必要な外商を含む買い物金額を示すサービス情報を得て前記データ処理端末における印刷する手段により印刷させるために出力するサービス情報処理部とからなることを特徴とする駐車サービス提供システム。
【請求項５】
駐車券発行機において、個々の駐車券を区別する駐車券識別コードを磁気記録するとともに前記駐車券識別コードと同内容を表すバーコードを印刷して発行し、
データ処理端末において、前記駐車券に買い上げ以外による特殊サービス受給者であることを示す特殊顧客コードのバーコードを印刷し、前記駐車券識別コードと特殊顧客コードとのバーコードを読み取り、当該読み取った駐車券識別コードと特殊顧客コードを出力し、
サービス情報処理部において、データ処理端末が読み取った駐車券識別コードにより駐車券識別コード毎の買い物金額を積算記録する金額記録部から積算された買い物金額を読み出し、当該積算された買い物金額に応じて受けられる駐車サービス時間とさらに特殊顧客コードにより特殊サービス受給者に与えられる駐車時間を付加した駐車時間を得て前記データ処理端末に出力し、
前記データ処理端末において、前記付加した駐車時間をレシートに印刷することを特徴とする駐車サービス提供方法。
【請求項６】
個々の駐車券を区別する駐車券識別コードを磁気記録するとともに前記駐車券識別コードと同内容を表すバーコードを印刷して発行する駐車券発行機と、
前記駐車券に買い上げ以外による特殊サービス受給者であることを示す特殊顧客コードのバーコードを印刷し、レシートに所定事項を印刷する手段と、前記駐車券識別コードと特殊顧客コードとのバーコードを読み取る手段と、当該読み取った駐車券識別コードと特殊顧客コードを出力する手段とを備えるデータ処理端末と、
前記データ処理端末からの顧客識別コード毎の買い物金額を積算して記録する金額記録部と、
買い物金額に応じてランク分けされた駐車サービス内容を記録した駐車サービス記録部と、
特殊顧客のサービス内容を記録した特殊顧客サービス記録部と、
前記データ処理端末が読み取った駐車券識別コードにより前記金額記録部から買い物金額を読み出し、特殊顧客コードにより特殊顧客サービス記録部からサービス内容の付加駐車時間を読み出し、当該積算された買い物金額に応じて受けられる駐車サービス時間を得て、さらに特殊顧客コードにより特殊サービス受給者に与えられる駐車時間を付加した駐車時間を計算し、当該付加した駐車時間をデータ処理端末における印刷する手段により印刷させるために出力するサービス情報処理部とからなることを特徴とする駐車サービス提供システム。
【発明の詳細な説明】
【０００１】
【産業上の利用分野】
この発明は、駐車場利用者が当該駐車場と関連のある店舗の売場において買い物をしたときに、駐車サービスを提供する方法及びそのシステムに関するものである。
【０００２】
【従来の技術】
従来、駐車場利用者に対して与えられるサービスに駐車料金の割引がある。例えば、店舗に付随する駐車場利用者が、その店舗の売場で買い物した場合、その金額に応じた駐車料金の割引を受けることができるものである。この駐車料金の割引をするため、例えば、駐車場係員は、利用者から買い物のレシートを受け、その内容に応じて割引を行う必要がある。または、利用者が買い物をしたレシートをサービスカウンタに持っていき、サービスカウンタの係員による駐車券への割引認証を受ける、または、サービス券をもらう等の必要があった。
【０００３】
割引認証は、駐車券に記録される磁気データ部分を使用し、認証機により駐車券へ認証データを書き込むことにより行われる。駐車場退場に際しての精算には、精算機が駐車券に記録された認証データを読み取り、このデータを参照して、駐車料金を計算して、割引を行う。
【０００４】
また、サービス券による割引は、精算機が駐車券とともにサービス券のデータを読み取り、駐車券の入場時刻と現在時刻とによる駐車料金と、サービス券によるデータによる割引計算とにより、精算料金を計算して、割引を行う。
【０００５】
【発明が解決しようとする課題】
しかし、従来のような割引方法では、複数の売場があった場合、各々に認証機が必要となり、そのための認証機の設備費及びその維持費が必要となっていた。また、割引認証をする毎に、磁気記録するために駐車券を認証機に挿入するため、磁気データエラー等のエラーが発生する頻度が増え、信頼性が落ちるものとなっている。また、サービス券による割引においては、売場にサービス券を備えておく必要があり、そのサービス券の供給、保管のための費用が必要となっていた。また、利用者が複数売場でサービス券を受けた場合は、精算機にそれらの複数のサービス券を挿入する必要があり、扱いにくいものとなっていた。
【０００６】
本発明は上記問題点を鑑みてなされたものであり、売場の買い物に応じた割引を無料駐車時間の提供とし、費用が高くなく、信頼性が高く、扱いやすく行えること、さらには外商顧客や買い上げ以外の顧客に対しても駐車サービスを提供することを目的とする。
【０００７】
【課題を解決するための手段】
上記課題を解決するため請求項１に係る駐車サービス提供方法は、駐車券発行機において、個々の駐車券を区別する駐車券識別コードを磁気記録するとともに前記駐車券識別コードと同内容を表すバーコードを印刷して発行し、ＰＯＳ端末において、前記駐車券のバーコードを読み取るとともに当該読み取った駐車券識別コードと買い物金額を出力し、前記ＰＯＳ端末からの駐車券識別コード毎の買い物金額を金額記録部に積算して記録し、サービス情報処理部において、ＰＯＳ端末が読み取った駐車券識別コードにより前記金額記録部から積算された買い物金額を読み出し、当該積算された買い物金額と現在までの駐車時間とに応じて、買い物金額に応じて受けられるランクの駐車サービスの残り時間、又は買い物金額に応じてランク分けされた一つ上のランクの駐車サービスを受けるために必要な買い物金額を示すサービス情報を得て前記ＰＯＳ端末に出力し、前記ＰＯＳ端末において、前記サービス情報をレシートに印刷するものである。
【０００８】
また、請求項２に係る駐車サービス提供システムは、個々の駐車券を区別する駐車券識別コードを磁気記録するとともに前記駐車券識別コードと同内容を表すバーコードを印刷して発行する駐車券発行機と、売場に備えられ、前記駐車券のバーコードを読み取るとともに当該読み取った駐車券識別コードと買い物金額を出力する手段を備え、レシートに印刷する手段を備えるＰＯＳ端末と、前記ＰＯＳ端末からの駐車券識別コード毎の買い物金額を積算して記録する金額記録部と、買い物金額に応じてランク分けされた駐車サービス内容を記録した駐車サービス記録部と、ＰＯＳ端末が読み取った駐車券識別コードにより前記金額記録部から買い物金額を読み出し、当該積算された買い物金額と現在までの駐車時間とに応じて、買い物金額に応じて受けられるランクの駐車サービスの残り時間を計算し、買い物金額に応じてランク分けされた一つ上のランクの駐車サービスを前記駐車サービス記録部から読み出し、当該一つ上のランクの駐車サービスを受けるために必要な買い物金額を計算し、前記駐車サービスの残り時間、又は前記一つ上のランクの駐車サービスを受けるために必要な買い物金額を示すサービス情報を得て前記ＰＯＳ端末における印刷する機能により印刷させるために出力するサービス情報処理部とからなるものである。
【０００９】
また、請求項３に係る駐車サービス提供方法は、駐車券発行機において、外商顧客を区別する外商顧客識別コードを磁気記録するとともに前記外商顧客識別コードと同内容を表すバーコードを印刷して発行し、データ処理端末において、前記駐車券のバーコードを読み取るとともに当該読み取った外商顧客識別コードを出力し、サービス情報処理部において、データ処理端末が読み取った外商顧客識別コードにより外商顧客識別コード毎の外商金額を積算記録する外商金額記録部から積算された外商金額を読み出し、当該外商顧客のサービスクラスと積算された外商金額と現在までの駐車時間とに応じて、当該外商顧客のサービスクラスと外商金額とに応じて受けられるランクの駐車サービスの残り時間、又は当該外商顧客のサービスクラスと外商金額とに応じてランク分けされた一つ上のランクの駐車サービスを受けるために必要な外商を含む買い物金額とを示すサービス情報を得て前記データ処理端末に出力し、前記データ処理端末において、前記サービス情報をレシートに印刷するものである。
【００１０】
また、請求項４に係る駐車サービス提供システムは、外商顧客を区別する外商顧客識別コードを磁気記録するとともに前記外商顧客識別コードと同内容を表すバーコードを印刷して発行する駐車券発行機と、前記駐車券のバーコードを読み取るとともに当該読み取った外商顧客識別コードを出力する手段を備え、レシートに印刷する手段を備えるデータ処理端末と、前記データ処理端末からの外商顧客識別コード毎の外商金額を積算して記録する外商金額記録部と、外商顧客のサービスクラスを記録した外商顧客サービス記録部と、外商を含む買い物金額に応じてランク分けされた駐車サービス内容を記録した駐車サービス記録部と、データ処理端末が読み取った外商顧客識別コードにより前記外商金額記録部から外商金額を読み出すとともに外商顧客識別コードにより前記外商顧客サービスクラス記録部から当該外商顧客のサービスクラスを読み出し、当該外商顧客のサービスクラスと積算された外商金額と現在までの駐車時間とに応じて、外商顧客のサービスクラス及び外商金額に応じて受けられるランクの駐車サービスの残り時間を計算し、外商顧客のサービスクラス及び外商を含む買い物金額に応じてランク分けされた一つ上のランクの駐車サービスの時間を前記駐車サービス記録部から読み出し、当該一つ上のランクの駐車サービスを受けるために必要な外商を含む買い物金額を計算し、前記駐車サービスの残り時間、又は前記一つ上のランクの駐車サービスを受けるために必要な外商を含む買い物金額を示すサービス情報を得て前記データ処理端末における印刷する機能に印刷させるために出力するサービス情報処理部とからなるものである。
【００１１】
また、請求項５に係る駐車サービス提供方法は、駐車券発行機において、個々の駐車券を区別する駐車券識別コードを磁気記録するとともに前記駐車券識別コードと同内容を表すバーコードを印刷して発行し、データ処理端末において、前記駐車券に買い上げ以外による特殊サービス受給者であることを示す特殊顧客コードのバーコードを印刷し、前記駐車券識別コードと特殊顧客コードとのバーコードを読み取り、当該読み取った駐車券識別コードと特殊顧客コードを出力し、サービス情報処理部において、データ処理端末が読み取った駐車券識別コードにより駐車券識別コード毎の買い物金額を積算記録する金額記録部から積算された買い物金額を読み出し、当該積算された買い物金額に応じて受けられる駐車サービス時間とさらに特殊顧客コードにより特殊サービス受給者に与えられる駐車時間を付加した駐車時間を得て前記データ処理端末に出力し、前記データ処理端末において、前記付加した駐車時間をレシートに印刷するものである。
【００１２】
また、請求項６に係る駐車サービス提供システムは、個々の駐車券を区別する駐車券識別コードを磁気記録するとともに前記駐車券識別コードと同内容を表すバーコードを印刷して発行する駐車券発行機と、前記駐車券に買い上げ以外による特殊サービス受給者であることを示す特殊顧客コードのバーコードを印刷し、レシートに所定事項を印刷する手段と、前記駐車券識別コードと特殊顧客コードとのバーコードを読み取る手段と、当該読み取った駐車券識別コードと特殊顧客コードを出力する手段とを備えるデータ処理端末と、前記データ処理端末からの顧客識別コード毎の買い物金額を積算して記録する金額記録部と、買い物金額に応じてランク分けされた駐車サービス内容を記録した駐車サービス記録部と、特殊顧客のサービス内容を記録した特殊顧客サービス記録部と、前記データ処理端末が読み取った駐車券識別コードにより前記金額記録部から買い物金額を読み出し、特殊顧客コードにより特殊顧客サービス記録部からサービス内容の付加駐車時間を読み出し、当該積算された買い物金額に応じて受けられる駐車サービス時間を得て、さらに特殊顧客コードにより特殊サービス受給者に与えられる駐車時間を付加した駐車時間を計算し、当該付加した駐車時間をデータ処理端末における印刷する機能に印刷させるために出力するサービス情報処理部とからなるものである。
【００１３】
【作用】
請求項１に係る駐車サービス提供方法は、次のように作用する。駐車券発行機により発行されるそれぞれの駐車券には、駐車券識別コードが磁気記録され、バーコード印刷される。駐車券識別コードとバーコードとは同内容であり、それにより個々の駐車券を他のものと区別する。利用者が駐車場関係の店舗の売場において買い物をすると、その売場のＰＯＳ端末により、駐車券のバーコードを読み取り、買い物金額を前記読み取った駐車券識別コードに対応して出力し、駐車券識別コード毎の買い物金額を金額記録部に記録しておく。すると、サービス情報処理部において、ＰＯＳ端末が読み取った駐車券識別コードにより前記金額記録部から積算された買い物金額を読み出す。さらに、サービス情報処理部において、積算された買い物金額と現在までの駐車時間とに応じて、サービス情報をＰＯＳ端末に出力する。サービス情報には次の情報が示される。買い物金額に応じて受けられるランクの駐車サービスの残り時間、又は買い物金額に応じてランク分けされた一つ上のランクの駐車サービスを受けるために必要な買い物金額とを示す。このサービス情報を受けたＰＯＳ端末は、これをレシートに印刷して利用者に提供する。
【００１４】
また、請求項２に係る駐車サービス提供システムは、次のように作用する。駐車券発行機は、駐車券識別コードを磁気記録し、バーコードを印刷した駐車券を発行する。駐車券識別コードとバーコードとは同内容であり、それにより個々の駐車券を他のものと区別する。駐車場関係の店舗の売場に備えられるＰＯＳ端末は、駐車券のバーコードを読み取り、そのバーコードの内容の識別コードに対応して買い物金額を出力する。金額記録部は、各ＰＯＳ端末から送られてくる買い物金額を駐車券識別コード毎に積算して記録する。駐車サービス記録部は、買い物金額に応じてランク分けされた駐車サービス内容を予め記録しておく。サービス情報処理部は、ＰＯＳ端末が読み取った駐車券識別コードにより前記金額記録部から積算された買い物金額を読み出すとともに買い物金額により駐車サービス記録部からその金額に応じた駐車サービス内容を読み出す。さらに、サービス情報処理部において、積算された買い物金額と現在までの駐車時間とに応じて、サービス情報をＰＯＳ端末に出力する。サービス情報には次の情報が示される。買い物金額に応じて受けられるランクの駐車サービスの残り時間、又は買い物金額に応じてランク分けされた一つ上のランクの駐車サービスの時間を受けるために必要な買い物金額とを示す。このサービス情報を受けたＰＯＳ端末は、これをレシートに印刷して利用者に提供する。
【００１５】
また、請求項３に係る駐車サービス提供方法は、次のように作用する。駐車券発行機により発行されるそれぞれの駐車券には、個々の駐車券を区別する駐車券識別コードが磁気記録され、バーコード印刷される。外商顧客識別コードとバーコードとは同内容であり、それにより他の外商顧客と区別する。利用者が駐車場関係の店舗の所定個所例えば売場あるいは外商カウンタにおいて、受けられるサービスを問い合わせると、そのカウンタのデータ処理端末により、駐車券のバーコードを読み取り、外商顧客識別コードを出力する。サービス情報処理部において、データ処理端末が読み取った外商顧客識別コードにより外商顧客識別コード毎の外商金額が積算記録された外商金額記録部から外商金額を読み出す。さらに、サービス情報処理部において、外商顧客のサービスクラスと積算された外商金額と現在までの駐車時間とに応じて、サービス情報をデータ処理端末に出力する。サービス情報には次の情報が示される。当該外商顧客及び外商金額に応じて受けられるランクの駐車サービスの残り時間、又は当該外商顧客及び外商金額に応じてランク分けされた一つ上のランクの駐車サービスの時間を受けるために必要な外商を含む買い物金額とを示す。このサービス情報を受けたデータ処理端末は、これをレシートに印刷して利用者に提供する。
【００１６】
また、請求項４に係る駐車サービス提供システムは、次のように作用する。駐車券発行機は、個々の駐車券を区別する駐車券識別コードを磁気記録し、バーコード印刷した駐車券を発行する。外商顧客識別コードとバーコードとは同内容であり、それにより他の外商顧客と区別する。駐車場関係の店舗の所定個所例えば売場あるいは外商カウンタに備えられるデータ処理端末は、駐車券のバーコードを読み取り、そのバーコードの外商顧客識別コードを出力する。外商金額記録部は、外商金額を外商顧客識別コード毎に過去の外商金額とともに積算して記録する。外商顧客サービス記録部は、外商顧客の過去の買い上げ金額に応じたサービスクラスを記録しておく。駐車サービス記録部は、買い物金額に応じてランク分けされた駐車サービス内容を予め記録しておく。サービス情報処理部は、データ処理端末が読み取った外商顧客識別コードにより前記外商金額記録部から積算された外商金額を読み出し、前記外商顧客サービス記録部からサービスクラスを読み出す。このサービスクラスにより駐車サービス記録部から駐車サービスの内容を読み出す。さらに、サービス情報処理部において、外商顧客のサービスクラスと積算された外商金額と現在までの駐車時間とに応じて、サービス情報をデータ処理端末に出力する。サービス情報には次の情報が示される。当該外商顧客のサービスクラス及び外商金額に応じて受けられるランクの駐車サービスの残り時間、又は当該外商顧客のサービスクラス及び外商金額に応じてランク分けされた一つ上のランクの駐車サービスの時間を受けるために必要な外商を含む買い物金額とを示す。このサービス情報を受けたデータ処理端末は、これをレシートに印刷して利用者に提供する。
【００１７】
また、請求項５に係る駐車サービス提供方法は、次のように作用する。駐車券発行機により発行されるそれぞれの駐車券には、駐車券識別コードが磁気記録され、バーコード印刷される。駐車券識別データとバーコードとは同内容であり、それにより個々の駐車券を他のものと区別する。利用者が駐車場関係の店舗の所定個所例えば売場あるいは案内カウンタにおいて駐車券を示して、買い物以外の行為例えば修理品の受け取りや店舗に有益なクレームを与えるようなことをしたとき、その箇所のデータ処理端末により、特殊顧客コードを示すバーコードを印刷し、駐車券識別コードと特殊顧客コードとを読み取る。この特殊顧客コードを前記駐車券識別コードに対応して出力する。サービス情報処理部において、データ処理端末が読み取った駐車券識別コードにより、駐車券識別コード毎に買い物金額を積算記録してある金額記録部から積算された買い物金額を読み出す。さらに、サービス情報処理部において、特殊顧客と積算された買い物金額とに応じて、サービス情報をデータ処理端末に出力する。サービス情報には次の情報が示される。積算された買い物金額に応じて受けられる駐車時間と、特殊顧客コードにより特殊サービス受給者に与えられる駐車時間を付加した駐車時間である。このサービス情報を受けたデータ処理端末は、この付加した駐車時間をレシートに印刷して利用者に提供する。
【００１８】
また、請求項６に係る駐車サービス提供システムは、次のように作用する。駐車券発行機は、駐車券識別コードを磁気記録し、バーコードを印刷した駐車券を発行する。駐車券識別コードとバーコードとは同内容であり、それにより個々の駐車券を他のものと区別する。データ処理端末は、駐車場関係の店舗の所定個所例えば売場あるいは案内カウンタに備えられ、買い物以外の行為例えば修理品の受け取りや店舗に有益なクレームを与えるようなしたとき、その駐車券に特殊顧客コードを示すバーコードを印刷し、駐車券識別コードと特殊顧客コードとを読み取る。データ処理端末は、この特殊顧客コードを前記駐車券識別コードに対応して出力する。金額記録部は各データ処理端末から送られてくる買い物金額を駐車券識別コード毎に積算して記録する。駐車サービス記録部は、買い物金額に応じてランク分けされた駐車サービス内容を予め記録しておく。特殊顧客サービス記録部には特殊顧客のサービス内容すなわち付加駐車時間が記録されている。サービス情報処理部は、データ処理端末が読み取った駐車券識別コードにより前記金額記録部から積算された買い物金額を読み出し、買い物金額に基づいて駐車サービス記録部から買い物金額に応じて得られる駐車時間を読み出し、また、特殊顧客コードにより前記特殊顧客サービス記録部から付加される駐車時間を読み出す。さらに、サービス情報処理部において、特殊顧客と積算された買い物金額とに応じて、サービス情報をデータ処理端末に出力する。サービス情報には次の情報が示される。積算された買い物金額に応じて受けられる駐車時間と、特殊顧客コードにより特殊サービス受給者に与えられる駐車時間を付加した駐車時間である。このサービス情報を受けたデータ処理端末は、この付加した駐車時間をレシートに印刷して利用者に提供する。
【００１９】
【実施例】
以下、本発明の一実施例について図を参照して説明する。図１は一実施例を説明するフロー図であり、図１（ａ）は第１の実施例、図１（ｂ）は第２の実施例、図１（ｃ）は第３の実施例に関するものである。図２は一実施例を説明する機能ブロック図である。図２において、２０１は駐車場入口に設けた駐車券発行機、２０２は駐車場入口のゲート装置、２０３は駐車場出口に設けた全自動精算機、２０４は駐車場出口のゲート装置、２０５は駐車場外に設けた事前精算機、２０６１，２０６２，２０６３は駐車場とは離れて位置する売場のＰＯＳ端末、２０７１ａ，２０７２ａ，２０７３ａは前記ＰＯＳ端末２０６１，２０６２，２０６３に接続するバーコードリーダ、２０７１ｂ，２０７２ｂ，２０７３ｂは前記ＰＯＳ端末２０６１，２０６２，２０６３に接続する印刷機、２０８は外商カウンタのデータ処理端末、２０８１は前記データ処理端末２０８に接続するバーコードリーダ、２０８２は前記データ処理端末２０８に接続する印刷機、２０９は案内カウンタのデータ処理端末、２０９１は前記データ処理端末２０９に接続するバーコードリーダ、２０９２は前記データ処理端末２０９に接続する印刷機、２１０は駐車サービス管理サーバ、２１１は前記駐車サービス管理サーバ２１０内に備えられ識別コード毎の買い物金額を記録する金額記録部である。２１２は外商を含む買い物金額に応じてランク分けされた駐車サービス内容（無料駐車時間）を記録（登録）しておく駐車サービス記録部であり、ランクには例えば、「５，０００円の買い上げで１時間の無料駐車サービス」、「２０，０００円の買い上げで２時間の無料駐車サービス」がある。２１３はサービス情報の処理をするサービス情報処理部、２１４は前記サービス情報処理部２１３が処理して得たサービス情報（駐車時間、必要な買い物金額）を駐車券識別コード毎に記録するサービス情報記録部、２１５は外商顧客識別コードにより顧客毎の外商金額を積算して記録する外商金額記録部、２１６は外商顧客のサービスクラスを記録した外商顧客サービス記録部、２１７は特殊顧客のサービス内容（付加される駐車時間）を記録した特殊顧客サービス記録部、２１８は店舗事務所のＰＯＳサーバー、２１９はストアサーバ（ＳＳＶ）、２２０は駐車場管理計算機、２２１はホストコンピュータである。ＰＯＳサーバー２１８は各売場のＰＯＳ端末２０６１，２０６２，２０６３とストアサーバ２１９との接続を中継する。ストアサーバ２１９は前記ＰＯＳサーバー２１８からの要求に対する応答を行ったり、駐車サービス管理サーバ２１０のデータベーステーブルにデータを書き込んだり、各種情報を参照し、データの集計、ホストコンピュータ２２１への送信を行う。
【００２０】
（第１の実施例）
以下、図２を参照しつつ、図１（ａ）に従って動作を説明する。利用者の車両が駐車場入口に来ると、図示しない車両感知器が車両を感知する。駐車券発行機２０１は、車両が感知されると、この車両に他の車両と区別する駐車券識別コードを付与する。駐車券識別コードは１日を単位として異なるものが付与される。この駐車券識別コードは、例えば駐車券発行機２０１が入場車両数を計数して得られる入場順の番号によって与えられる。駐車券発行機２０１は、図３に示すような駐車券３０１を発行する。このとき、駐車券発行機２０１は、駐車券３０１に、前記駐車券識別コードを磁気記録するとともに、同じ駐車券識別コードを表すようにバーコード３０２を印刷して、他の駐車券と区別して発行する（Ｐ１０１）。駐車券発行後、ゲート装置２０２を開いて車両を入場させる。
【００２１】
利用者が駐車場に駐車し、その駐車場を有する店舗又は駐車場の利用契約をした店舗で買い物をしたとき、店員に駐車券を提示する。店員は、ＰＯＳ端末２０６１（又は２０６２又は２０６３）のバーコードリーダ２０７１（又は２０７２又は２０７３）により駐車券のバーコードを読み取るとともに、利用者が買い物をした商品の価格金額を入力する。ＰＯＳ端末２０６１は、このバーコードが表す駐車券識別コードに関連付けて、買い物金額を出力する（Ｐ１０２）。各ＰＯＳ端末２０６１，２０６２，２０６３は店舗事務所のＰＯＳサーバー２１８に接続されている。各ＰＯＳ端末２０６１，２０６２，２０６３からの買い物金額はＰＯＳサーバー２１８を介してストアサーバ２１９に入力される。ストアサーバ２１９は、駐車券識別コードを受けて駐車サービス管理サーバ２１０の金額記録部２１１に当該駐車券識別コードにより記録されているか否か判別する。記録されていないときは、前記金額記録部２１１に新たに当該駐車券識別コードによる記録部を作成する。金額記録部２１１に前記買い物金額と駐車券識別コードが入力され、買い物金額が積算して記録される（Ｐ１０３）。この金額記録部２１１への金額の記録は、各ＰＯＳ端末２０６１，２０６２，２０６３において駐車券識別コードを付した買い物金額のデータが送られる度に、同一の駐車券識別コードに対応させて行い、順次記録、加算されていく。
【００２２】
既に金額記録部２１１に当該駐車券識別コードによる記録部がある場合は、駐車サービス管理サーバ２１０のサービス情報処理部２１３は、金額記録部２１１の買い物金額が更新されたことにより、当該駐車券識別コードにより金額記録部２１１に記録されている買い物金額を読み出す（Ｐ１０４）。この買い物金額により駐車サービス記録部２１２から当該買い物金額に応じて受けられるランク分けされた無料駐車時間（買い物金額がサービスを受けるまでに至っていない場合の「０時間」を含む。）を得る。さらに、サービス情報処理部２１３は、駐車券識別コードによりホストコンピュータ２２１に記録されている入庫時間をストアサーバ２１９を介して得て、現在までの駐車時間を得る。例えば、前記無料駐車時間から現在までの駐車時間の差を取り、正の場合は、当該残り時間と、一つ上のランクのサービスを受けるために必要な買い物金額と、その無料駐車時間を出力する。負の場合は、前記買い物金額により得られる１つ上のランクの無料駐車時間と、そのサービスを受けるために必要な買い物金額を得る。例えば、現在、１５，７５０円の買い上げで駐車場入庫後１時間２０分経過した場合に、必要な金額として「４，２５０円」、一つ上のランクのサービス時間として「２時間」を得る。このとき、ＰＯＳ端末２０６１では、「あと４，２５０円のお買いあげで駐車料金が２時間サービスとなります。」と印刷されることとなる。また、６，３００円の買い上げで４５分駐車している場合は、残りの時間として「１５分」、必要な金額として「１３，７００円」、一つ上のランクのサービス時間として「２時間」を得る。このとき、ＰＯＳ端末２０６１では、「無料駐車時間はあと１５分です。」、「あと４，２５０円のお買いあげで駐車料金が２時間サービスとなります。」と印刷されることとなる。さらに、４，２００円の買い上げで３０分駐車している場合は、必要な金額として「８００円」、一つ上のランク（この場合は、サービスを受けられないランクから受けられ始めるランク）のサービス時間として「１時間」を得る。このとき、ＰＯＳ端末２０６１では、「あと８００円のお買いあげで駐車料金が１時間サービスとなります。」と印刷されることとなる。サービス情報処理部２１３は、これら得られた前記駐車時間差の「正」又は「負」と「時間」と「金額」をサービス情報として（Ｐ１０５）、前記買い物があったＰＯＳ端末２０６１に出力する（Ｐ１０６）、とともにこれらの情報はサービス情報記録部２１４に駐車券識別コード毎に記録更新され、ストアサーバ２１９を介してホストコンピュータ２２１に送られ駐車券識別コード毎に記録される。前記買い物があったＰＯＳ端末２０６１は、サービス情報を受けた「時間」又は「金額」を基にレシートに印刷する（Ｐ１０７）。図４にこのレシートの一例を示す。利用者はこのレシートに示される「時間」又は「金額」を読むことにより、残りの無料駐車可能時間又はより多くの無料駐車サービスを受けるために必要な買い物金額を知ることができる。
【００２３】
利用者が買い物をした後、駐車場から出る前に精算しようとする場合、精算は、事前精算機２０５又は全自動精算機２０３によって行う。利用者が、駐車場とは別の場所で精算しようとするときは、駐車券を事前精算機２０５に挿入し、駐車券識別コードを読み取らせる。この駐車券識別コードは、駐車場管理計算機２２０に送られ、駐車サービス管理サーバ２１０に前記駐車券識別コードに関する駐車料金計算の情報を問い合わせる。駐車サービス管理サーバ２１０は、駐車料金計算の情報の問い合わせを受けると、金額記録部２１０に当該駐車券識別コードに関して買い物金額が記録されているか否かを判別し、記録されていないときは割引がないことを駐車場管理計算機２２０に返す。駐車場管理計算機２２０が事前精算機２０５に割引情報として０円を渡すと、事前精算機２０５は駐車時間に応じた駐車料金を計算し、利用者に報知する。利用者はこれにより精算をすることが出来る。一方、駐車サービス管理サーバ２１０が、駐車料金計算の情報の問い合わせを受けて、金額記録部２１０に当該駐車券識別コードに関して買い物金額が記録されていると判別することにより、当該買い物金額に応じた無料駐車時間を駐車サービス記録部２１２から読み出し、駐車券識別コードによりホストコンピュータ２２１に記録されている入庫時間をストアサーバ２１９を介して得て、現在までの駐車時間を得る。現在までの駐車時間が無料駐車時間を超過している場合は、その分について定められた駐車料金を利用者に報知する。現在までの駐車時間が無料駐車時間内であるときは、駐車料金は０円として利用者に報知する。利用者はこれにより精算をすることが出来る。事前精算機２０５は精算が済むと、駐車券の磁気記録部分に精算済みのデータを記録する。事前精算を済ませた利用者が駐車場出口で駐車券を全自動精算機２０３に挿入すると、全自動精算機２０３は精算済みとして判断し、駐車券を回収するとともに、ゲート装置２０４を開いて利用者の車両を出場させる。
【００２４】
利用者が、駐車場出口で精算しようとするときは、駐車券を全自動精算機２０３に挿入識別コードを読み取らせる。この駐車券識別コードにより、割引計算をすることは、上述の事前精算機２０５により精算する場合と同様である。すなわち、駐車券識別コードは、駐車場管理計算機２２０に送られ、駐車サービス管理サーバ２１０に前記駐車券識別コードに関する駐車料金計算の情報を問い合わせる。駐車サービス管理サーバ２１０は、駐車料金計算の情報の問い合わせを受けると、金額記録部２１０に当該駐車券識別コードに関して買い物金額が記録されているか否かを判別し、記録されていないときは割引がないことを駐車場管理計算機２２０に返す。駐車場管理計算機２２０が全自動精算機２０３に割引情報として０円を渡すと、全自動精算機２０３は駐車時間に応じた駐車料金を計算し、利用者に報知する。利用者はこれにより精算をすることが出来る。一方、駐車サービス管理サーバ２１０が、駐車料金計算の情報の問い合わせを受けて、金額記録部２１０に当該駐車券識別コードに関して買い物金額が記録されていると判別することにより、当該買い物金額に応じた無料駐車時間を駐車サービス記録部２１２から読み出し、駐車券識別コードによりホストコンピュータ２２１に記録されている入庫時間をストアサーバ２１９を介して得て、現在までの駐車時間を得る。現在までの駐車時間が無料駐車時間を超過している場合は、その分について定められた駐車料金を利用者に報知する。現在までの駐車時間が無料駐車時間内であるときは、駐車料金は０円として利用者に報知する。利用者はこれにより精算をすることが出来る。全自動精算機２０３は精算が済むと、駐車券を回収するとともに、ゲート装置２０４を開いて利用者の車両を出場させる。
【００２５】
全自動精算機２０３は車両を出場させると、当該車両の利用者に発行した駐車券の駐車券識別コードに関する車両の退場を駐車場管理計算機２２０を介して駐車サービス管理サーバ２１０に知らせる。駐車サービス管理サーバ２１０は金額記録部２１１の当該駐車券識別コードに関する記録データを消去する。このとき、必要により当該記録データをホストコンピュータ２２１の管理記録部に転送記録する。
【００２６】
（第２の実施例）
図２を参照しつつ、図１（ｂ）に従って動作を説明する。外商顧客である利用者の車両が駐車場入口に来ると、図示しない車両感知器が車両を感知する。駐車券発行機２０１は、車両が感知されると、この車両に他の車両と区別する駐車券識別コードを付与する。この駐車券識別コードは、例えば駐車券発行機２０１が入場車両数を計数して得られる入場順の番号によって与えられる。さらに、利用者は外商顧客識別コードを駐車券発行機２０１の所定の入力手段により入力する。駐車券発行機２０１は、図３に示すような駐車券３０１を発行する。このとき、駐車券発行機２０１は、駐車券３０１に、前記駐車券識別コード及び外商顧客識別コードを磁気記録するとともに、同じ駐車券識別コード及び外商顧客識別コードを表すようにバーコード３０２を印刷して、他の駐車券と区別して発行する（Ｐ２０１）。この外商顧客識別コードは、外商顧客サービス記録部２１６を読み出すための参照コードであるとともに、駐車中に管理される駐車券識別コードに付随したコードとなり、例えば、外商による取引のほか来店による買い物金額の記録に際して金額記録部２１１にともに記録される。駐車券発行後、ゲート装置２０２を開いて車両を入場させる。
【００２７】
利用者が駐車場に駐車し、その駐車場を有する店舗あるいは駐車場の利用契約をした店舗の売場又は外商カウンタで受けられるサービスを問い合わすとき、店員に駐車券を提示する。店員は、その顧客が外商顧客であることを確認し、データ処理端末２０８のバーコードリーダ２０８１により駐車券のバーコードを読み取る。データ処理端末２０８は、このバーコードが表す外商顧客識別コードを出力する（Ｐ２０２）。
【００２８】
データ処理端末２０８からの外商顧客識別コードは、駐車サービス管理サーバ２１０に入力される。駐車サービス管理サーバ２１０のサービス情報処理部２１３は、外商顧客識別コードを受けて外商金額記録部２１５から積算された当該外商顧客の外商金額を読み出す（Ｐ２０３）。なお、この外商金額記録部２１５への金額の記録は、図示しない入力手段により外商がある度に、同一の外商顧客識別コードに対応させて行い、順次記録、加算されていく。また、駐車サービス管理サーバ２１０のサービス情報処理部２１３は、外商顧客識別コードにより外商顧客サービス記録部２１６からその外商顧客のランクを読み出す（Ｐ２０４）。サービス情報処理部２１３は、前記外商金額を買い物金額として、これにより駐車サービス記録部２１２から当該買い物金額すなわち外商金額に応じて受けられるランク分けされた無料駐車時間（外商金額がサービスを受けるまでに至っていない場合の「０時間」を含む。）を得る。さらに、サービス情報処理部２１３は、駐車券識別コードによりホストコンピュータ２２１に記録されている入庫時間をストアサーバ２１９を介して得て、現在までの駐車時間を得る。例えば、前記無料駐車時間から現在までの駐車時間の差を取り、正の場合は、当該残り時間を出力する。負の場合は、前記買い物金額すなわち外商金額により得られる１つ上のランクの無料駐車時間と、そのサービスを受けるために必要な外商金額を含む買い物金額を得る。例えば、現在、１５，７５０円の買い上げで駐車場入庫後１時間２０分経過した場合に、必要な金額として「４，２５０円」、一つ上のランクのサービス時間として「２時間」を得る。このとき、データ処理端末２０８では、「あと４，２５０円のお買いあげで駐車料金が２時間サービスとなります。」と印刷されることとなる。また、６，３００円の買い上げで４５分駐車している場合は、残りの時間として「１５分」、必要な金額として「１３，７００円」、一つ上のランクのサービス時間として「２時間」を得る。このとき、データ処理端末２０８では、「無料駐車時間はあと１５分です。」、「あと４，２５０円のお買いあげで駐車料金が２時間サービスとなります。」と印刷されることとなる。さらに、４，２００円の買い上げで３０分駐車している場合は、必要な金額として「８００円」、一つ上のランク（この場合は、サービスを受けられないランクから受けられ始めるランク）のサービス時間として「１時間」を得る。このとき、データ処理端末２０８では、「あと８００円のお買いあげで駐車料金が１時間サービスとなります。」と印刷されることとなる。サービス情報処理部２１３は、これら得られた前記駐車時間差の「正」又は「負」と「時間」と「金額」をサービス情報として（Ｐ２０５）、前記外商顧客識別コードによる問い合わせがあったデータ処理端末２０８に出力する（Ｐ２０６）、とともにこれらの情報はサービス情報記録部２１４に外商顧客識別コード毎に記録更新され、ストアサーバ２１９を介してホストコンピュータ２２１に送られ外商顧客識別コード毎に記録される。前記問い合わせがあったデータ処理端末２０８の印刷機２０８２は、サービス情報を受けた「時間」又は「金額」を基にレシートに印刷する（Ｐ２０７）。利用者はこのレシートに示される「時間」又は「金額」を読むことにより、残りの無料駐車可能時間又はより多くの無料駐車サービスを受けるために必要な外商金額を含む買い物金額を知ることができる。駐車料金の精算は第１の実施例と同様に行うことができる。
【００２９】
（第３の実施例）
図２を参照しつつ、図１（ｃ）に従って動作を説明する。利用者の車両が駐車場入口に来ると、図示しない車両感知器が車両を感知する。駐車券発行機２０１は、車両が感知されると、この車両に他の車両と区別する駐車券識別コードを付与する。この駐車券識別コードは、例えば駐車券発行機２０１が入場車両数を計数して得られる入場順の番号によって与えられる。駐車券発行機２０１は、図３に示すような駐車券３０１を発行する。このとき、駐車券発行機２０１は、駐車券３０１に、前記駐車券識別コードを磁気記録するとともに、同じ駐車券識別コードを表すようにバーコード３０２を印刷して、他の駐車券と区別して発行する（Ｐ３０１）。駐車券発行後、ゲート装置２０２を開いて車両を入場させる。
【００３０】
利用者が駐車場に駐車し、その駐車場を有する店舗あるいは駐車場の利用契約をした店舗の売場又は案内カウンタで、買い物以外の行為、例えば修理品の受け取りや店舗に有益なクレームを与えるようなことをしたとき、店員は駐車券の提示を求める。店員は、その顧客を特殊顧客であると認識し、データ処理端末２０９の印刷機２０９２により個々の特殊顧客コードを示すバーコードを当該駐車券に印刷し、バーコードリーダ２０９１により駐車券の駐車券識別コードと特殊顧客コードのバーコードを読み取る。データ処理端末２０９は、特殊顧客コードを駐車券識別コードに対応させて出力する（Ｐ３０２）。特殊顧客コードには、一定期間（例えば１日）内の特殊顧客の個々に与えられる順番と、受けられるサービスのランクを含む。
【００３１】
データ処理端末２０８からの駐車券識別コードは、駐車サービス管理サーバ２１０に入力される。駐車サービス管理サーバ２１０のサービス情報処理部２１３は、金額記録部２１１に当該駐車券識別コードにより記録されているか否か判別する。記録されていないときは、前記金額記録部２１１に新たに当該駐車券識別コードによる記録部を作成し、前記金額記録部２１１から買い物金額「０円」を読み出す。また、この案内カウンタに来る前に買い物をして、既に金額記録部２１１に当該駐車券識別コードによる記録部がある場合は、当該駐車券識別コードにより金額記録部２１１に積算記録されている買い物金額を読み出す（Ｐ３０３）。サービス情報処理部２１３は、買い物金額により買い物金額に応じて受けられる無料駐車サービス時間を駐車サービス記録部２１２より読み出し、特殊顧客コードのランクにより特殊サービス受給者に与えられる無料駐車時間を特殊サービス記録部２１７より読み出す（Ｐ３０４）。サービス情報処理部２１３は読み出した買い物金額に応じて受けられる無料駐車サービス時間に特殊サービス受給者に与えられる無料駐車時間を付加した駐車時間を得る（Ｐ３０５）。サービス情報処理部２１３は、この付加した駐車時間をサービス情報として、前記特殊顧客識別コードを伴う駐車券識別コードが入力されたデータ処理端末２０９に出力する（Ｐ３０６）、とともにこれらの情報はサービス情報記録部２１４に駐車券識別コード毎に記録更新され、ストアサーバ２１９を介してホストコンピュータ２２１に送られその日の駐車券識別コード毎に記録される。前記データ処理端末２０９の印刷機２０９２は、サービス情報を受けた「時間」をレシートに印刷する（Ｐ３０７）。利用者はこのレシートに示される「時間」を読むことにより、新たな駐車時間（買い物により受けられる駐車時間＋付加駐車時間）を知ることができる。
【００３２】
上記において、サービス情報記録部２１４は第１の実施例、第２の実施例と同様に、「時間」と「金額」を知らせることもできる。すなわち、サービス情報処理部２１３は、駐車券識別コードによりホストコンピュータ２２１に記録されている入庫時間をストアサーバ２１９を介して得て、現在までの駐車時間を得る。例えば、前記無料駐車時間から現在までの駐車時間の差を取り、正の場合は、当該残り時間を出力する。負の場合は、前記買い物金額により得られる１つ上のランクの無料駐車時間と、そのサービスを受けるために必要な買い物金額を得る。例えば、現在、１５，７５０円の買い上げで駐車場入庫後１時間２０分経過した場合に、必要な金額として「４，２５０円」、一つ上のランクのサービス時間として「２時間」を得る。このとき、データ処理端末２０９では、「あと４，２５０円のお買いあげで駐車料金が２時間サービスとなります。」と印刷されることとなる。また、６，３００円の買い上げで４５分駐車している場合は、残りの時間として「１５分」、必要な金額として「１３，７００円」、一つ上のランクのサービス時間として「２時間」を得る。このとき、データ処理端末２０９では、「無料駐車時間はあと１５分です。」、「あと４，２５０円のお買いあげで駐車料金が２時間サービスとなります。」と印刷されることとなる。さらに、４，２００円の買い上げで３０分駐車している場合は、必要な金額として「８００円」、一つ上のランク（この場合は、サービスを受けられないランクから受けられ始めるランク）のサービス時間として「１時間」を得る。このとき、データ処理端末２０９では、「あと８００円のお買いあげで駐車料金が１時間サービスとなります。」と印刷されることとなる。サービス情報処理部２１３は、これら得られた前記駐車時間差の「又」又は「負」と「時間」と「金額」をサービス情報として、前記データ処理端末２０９に出力する。前記データ処理端末２０９の印刷機２０９２は、サービス情報を受けた「時間」又は「金額」を基にレシートに印刷する。利用者はこのレシートに示される「時間」又は「金額」を読むことにより、残りの無料駐車可能時間又はより多くの無料駐車サービスを受けるために必要な買い物金額を知ることができる。駐車料金の精算は第１の実施例と同様に行うことができる。
【００３３】
【発明の効果】
以上説明したように本発明によれば、駐車券に識別コードを表すバーコードを印刷するだけで、特別な装置を必要とすることなく安価に構成することが出来、取り扱いも、売場を含む所定の場所でバーコードを読み取るだけでよく扱いやすい。また、複数回の買い物であっても、その度に駐車券に割引情報のデータを書き込むことをせずバーコードを読み取るだけ、信頼性の高い、駐車サービス情報を提供でき、利用者はサービスとして受けられる無料駐車時間の残りの駐車時間又は一つ上のランクの駐車サービスを受けるために必要な買い物金額を知ることができる。
【図面の簡単な説明】
【図１】本発明の一実施例を説明するフロー図である。
【図２】本発明の一実施例を説明する機能ブロック図である。
【図３】本発明に用いる駐車券の一例を示す図である。
【図４】本発明により得られるレシートの一例を示す図である。
【符号の説明】
２０１…駐車券発行機、２０２…ゲート装置、２０３…全自動精算機、２０４…ゲート装置、２０５…事前精算機、２０６１，２０６２，２０６３…ＰＯＳ端末、２０７１，２０７２，２０７３…バーコードリーダ、２０８…データ処理端末、２０９…データ処理端末、２１０…駐車サービス管理サーバ、２１１…金額記録部、２１２…駐車サービス記録部、２１３…サービス情報処理部、２１４…サービス情報記録部、２１５…外商金額記録部、２１６…外商顧客サービス記録部、２１７…特殊顧客サービス記録部、２１８…ＰＯＳサーバー、２１９…ストアサーバ、２２０…駐車場管理計算機、２２１…ホストコンピュータ。
【図１】
2004086290.tif 000003
【図２】
2004086290.tif 000004
【図３】
2004086290.tif 000005
【図４】
2004086290.tif 000006